(57)【要約】【課題】  船釣りで６ｍから１０ｍとなる長い仕掛けのハリスを船上に引き込み、餌を付けて海面に投入しようとすると、時々自分自身だけでハリスが絡まってしまう手前まつりという状況を起こしてしまう。この状況を打開するための長ハリス投入器を提供する。【解決手段】  円筒形の容器の長方向に軽量の金属パイプを貫通させ、容器本体より両端に出た両側は片手で握れる長さとし、円筒形の容器にはハリスを巻く際、それを押える為の１ｃｍ角の面ファスナーを斜面部に貼り付け、面ファスナーを貼った挟み具と、押え具を付着させる為の円筒形の容器上に一周させた面ファスナーを円筒形容器の直角面側の筒上に貼り付ける。  この押え具と挟み具を使うことにより、円筒形の容器にハリス及び釣針を固定することができ、餌の付いた釣針をも海面に放ることができる長ハリス投入器。【選択図】図３
2013169209.tif 000002
【特許請求の範囲】
【請求項１】
一方は斜面を有し、もう一方は直角面を有する円筒形の筒に、押え具は円筒形の筒の斜面側にハリス、及び、釣り針が引っ掛からない場所を選定し押え具を着脱自在できるように面ファスナーを設け、又、面ファスナーをＡ面及びＢ面に貼った挟み具を円筒形の筒上の度の如何なる位置でも着脱自在にできるように、円筒形の筒の直角面側の筒上に一周させた面ファスナーを設け、又、ハリスを円筒形の筒に最初に巻く際にハリスを巻き易いように円筒形の筒の斜面側の筒上に突起を設け，又、軽量の金属パイプを円筒形の筒の長方向に貫通させ、両端に突き出た部分は片手で握ることのできる最低限の長さとし、一方には握り易いようにグリップを設けた長ハリス投入器。
【発明の詳細な説明】
【技術分野】
【０００１】  本発明は、船上で魚釣りをする時に海にハリスの長い仕掛けを投入する際に使用する、長ハリス投入器に関するものである。
【背景技術】
【０００２】  従来８ｍ〜１０ｍという長い仕掛けのハリスは、海から引き上げて、その長いハリスを座っているベンチの上にたぐり寄せて置いておいたり、或は、桶の中にたぐり入れている。又、海に投入する際はハリスを手に持ち滑らせながら投入している。
【発明の概要】
【発明が解決しようとする課題】
【０００３】  この長い仕掛けのハリスを海に投入する際、時々自分自身で仕掛けのハリスを絡めてしまう手前マツリを起こしてしまうのである。これを解決するために本発明は考えだされたものである。
【課題を解決するための手段】
【０００４】  円筒形の筒は一方が斜めに傾斜を有し、もう一方は直角面で有る容器に軽量な釣針の引っ掛からないパイプを筒の長方向に貫通させ、手で掴める長さに左右を限定し、パイプの左右の一方側には、この長ハリス投入器を持ち易い要にグリップを設ける。円筒形の筒の斜面部には仕掛けのハリスを筒に最初に巻く際に、１ｃｍ角位の仕掛けのハリスを押える押え具のための面ファスナーを貼り、仕掛けのハリスを筒に巻き終えて来ると最後に釣り針が有るのでそれを円筒形の筒上に固定するための挟み具を固定する１ｃｍ幅位の面ファスナーを円筒形の筒の直角面側の筒上に一周に貼り付ける。
以上の構成よりなる長ハリス投入器。
【発明の効果】
【０００５】  この長ハリス投入器は、仕掛けを投入する際自分自身で仕掛けのハリスを絡めてしまう手前マツリを起こして解いている時間が無くなり、何度でも仕掛けを投入し場所を取らずに魚釣りをすることが出来る。
【図面の簡単な説明】
【０００６】
【図１】  本発明の斜視図
【図２】  本発明の容器本体の横図と握り手部分の一部切欠き側面図
【図３】  本発明の使用状態を示す斜視図
【図４】  本発明の挟み具の拡大斜視図
【図５】  本発明の押え具の拡大斜視図と横図
【発明を実施するための形態】
【０００７】  以下、本発明の実施の形態を説明する。
（イ）  円筒形のプラスチック容器本体（１）は一方は斜面部を有し、もう一方は直角面を有するものとする。
（ロ）  斜面部は仕掛けのハリス（１１）を海上に投入する際、仕掛けのハリスと、釣り針が引っ掛からない場所を選び１ｃｍ角位の面ファスナー（４）を貼り付ける。
（ハ）  直角面側には幅１ｃｍ位の容器本体（１）を一周する面ファスナー（３）を貼り付ける。
（ニ）  仕掛けのハリス（１１）を容器本体（１）に最初に巻きつける際、容器本体（１）の斜面部に近い所に滑り止めの極小の突起（８）を１個若しくは２個設ける。
（ホ）  容器本体（１）に釣り針の引っ掛からない材質で軽量のパイプ（２）を筒の長方向に貫通させる。
（ヘ）  容器本体（１）よりパイプ（２）の出た両端は片手で握れる長さとする。
（ト）  容器本体（１）の直角面側のパイプ（２）にはグリップ（９）と、吊り輪（６）を設ける。
（チ）  挟み具（５）はＡ面とＢ面に面ファスナー（３）とは逆の同類の面ファスナーを貼り付ける。釣針（１２）に餌を付ける際に釣針の手前１０ｃｍ位の所を仕掛けのハリス（１１）を面ファスナー（３）の上に添え一時的に押えておく目的と、次に釣針（１２）に餌を付け、その釣針の出た部分を挟み具（５）の先端で掴み容器本体（１）上に固定し、仕掛けのハリス（１１）を海に投入の際、挟み具（５）のＡ面側即ち上部をグリップ（９）を持っている手の親指で押し釣針（１２）を海面に落とす役割をする。
（リ）  押え具（７）は仕掛けのハリス（１１）を容器本体（１）に手で巻く際、最初に面ファスナー（４）の上に添え、その上から押えるものである。
本発明は以上の構造である。
【０００８】  以下、本発明の実施の形態を右手対応で使用説明をする。
本発明を使用する時はハリス（１１）の上部、即ちゴムより（１３）が付いている側でハリス（１１）との接合部でスイベルジョイント（１０）が付けてある箇所を面ファスナー（４）の上に（図３）のようにスイベルジョイント（１０）を面ファスナー（４）の外に僅かに出して、左手に容器本体（１）の左側のパイプ（２）の部分を持ちながら親指で押え、ハリス（１１）を面ファスナー（３）の上に仮付着させておいた押え具（７）を取り外してハリス（１１）の上から面ファスナー（４）の上に付着させる。そして、右手でハリス（１１）を持ち突起（８）に引っ掛けて容器本体（１）に巻いていく。
釣り針（１２）が近付いてきたら、釣り針（１２）の手前１０ｃｍ程の所を面ファスナー（３）の上にハリス（１１）を乗せて、挟み具（５）をハリス（１１）の上から面ファスナー（３）に付着させ一時的にハリス（１１）を押える。そして、宙ぶらりんとなっている釣り針（１２）に餌を付ける。そして釣り針（１２）の餌の付いている部分よりはみ出し手いる釣り針（１２）の部分を、先程ハリス（１１）を固定した挟み具（５）を外して挟む。そして、その状態のまま挟み具（５）を面ファスナー（３）にハリス（１１）が弛まない程度を保ち付着させ固定する。
次にハリスの投入は、左手にハリス投入器のグリップ（９）側を持ち、押え具（７）を右手で外して、面ファスナー（３）の上に仮付着させる。そして右手でコマセ籠（１４）を海面にゆっくりハリス（１１）を持ち、手で滑らせながら下していく。そして釣竿のリールのクラッチがＯＮで止まったところで、ハリス投入器を右手に持ち替えて、左手で釣竿のリールのクラッチをＯＦＦにして海中へと下していく。そして釣り針（１２）が近付いてきたら釣竿のリールに左手の指でブレーキを掛け、ハリス投入器を持っている右手の親指で押え具（５）を上から押して，餌の付いている釣り針（１２）を海面に放るように落とす。
そして餌の付いた釣り針が海面に落ちたことを確認したら釣竿のリールから手を離しブレーキを解除する。
【符号の説明】
【０００９】１  容器本体、  ２  パイプ、  ３  面ファスナー、  ４  面ファスナー、  ５  挟み具、  ６  吊り輪  ７  押え具、  ８  突起、  ９  グリップ、  １０  スイベルジョイン、  １１  ハリス、  １２  釣り針、  １３  ゴムヨリ、  １４  コマセ籠
【図１】
2013169209.tif 000003
【図２】
2013169209.tif 000004
【図３】
2013169209.tif 000005
【図４】
2013169209.tif 000006
【図５】
2013169209.tif 000007